(57)【要約】【課題】効率的に収納量を向上させることができるとともに玄関の美観を保つことができる収納室構造を提供することを目的とする。【解決手段】住宅等の建物の玄関２に隣接して設けられ、人の出入りが可能とされた収納室１の構造において、玄関２と収納室１とを仕切る仕切壁５に出入口５ａが形成され、出入口５ａには、収納室１側に寄せて配置され、出入口５ａを開閉する建具としての機能を持つ可動収納家具１０が設けられている。可動収納家具１０は、玄関２側に向かって開口する収納部１１ａが形成された家具本体１１と、収納部１１ａの開口を開閉する開閉体１２と、を備える。そして、可動収納家具１０によって、収納室１の出入口５ａを開閉しつつ収納量を向上させることができ、さらに、収納室１内や収納部１１ａ内を遮蔽して玄関２の美観を保つことができる。【選択図】図１
2016205018.tif 000002
【特許請求の範囲】
【請求項１】
住宅等の建物の玄関に隣接して設けられ、人の出入りが可能とされた収納室の構造において、
前記玄関と前記収納室とを仕切る仕切壁に出入口が形成され、
前記出入口には、前記収納室側に寄せて配置され、前記出入口を開閉する建具としての機能を持つ可動収納家具が設けられており、
前記可動収納家具は、前記玄関側に向かって開口する収納部が形成された家具本体と、前記収納部の開口を開閉する開閉体と、を備えることを特徴とする収納室構造。
【請求項２】
請求項１に記載の収納室構造において、
前記可動収納家具は、当該可動収納家具を前記仕切壁に沿ってスライド移動させる第一移動手段を備えることを特徴とする収納室構造。
【請求項３】
請求項２に記載の収納室構造において、
前記第一移動手段は、前記家具本体をスライド移動させる第一スライド手段と、前記開閉体をスライド移動させる第二スライド手段と、からなることを特徴とする収納室構造。
【請求項４】
請求項１に記載の収納室構造において、
前記可動収納家具は、当該可動収納家具を前記収納室から前記出入口を介して前記玄関側へと移動させる第二移動手段を備えることを特徴とする収納室構造。
【請求項５】
請求項１に記載の収納室構造において、
前記可動収納家具は、当該可動収納家具を垂直軸回りに前記玄関に向かって回転移動させる第三移動手段を備えることを特徴とする収納室構造。
【請求項６】
請求項１に記載の収納室構造において、
前記玄関は、玄関土間部と、この玄関土間部よりも一段高い床面に設定された玄関ホール部と、を備えており、
前記出入口が形成された前記仕切壁は、前記収納室と前記玄関土間部との間に設けられており、
前記可動収納家具は、当該可動収納家具を前記玄関土間部側から前記玄関ホール部側にスライド移動させる第四移動手段を備えることを特徴とする収納室構造。
【請求項７】
請求項１〜６のいずれか一項に記載の収納室構造において、
前記可動収納家具によって前記出入口を閉塞している状態において、前記可動収納家具の下端面と床面との間に隙間が形成されていることを特徴とする収納室構造。
【請求項８】
請求項１〜７のいずれか一項に記載の収納室構造において、
前記収納室は、前記玄関に隣接して配置された階段の踊り場の下方、または踊り場と連続する床の下方に設けられていることを特徴とする収納室構造。
【発明の詳細な説明】
【技術分野】
【０００１】
本発明は、住宅等の建物における玄関に隣接して設けられる収納室の構造に関する。
【背景技術】
【０００２】
従来、玄関に隣接して人の出入りを可能とした収納室が設けられる。
特許文献１に記載の建物には、玄関に、通路状に形成された脱臭・除菌収納室が設けられ、この脱臭・除菌収納室の脇に、低天井収納空間が設けられている。脱臭・除菌収納室と低天井収納空間とを仕切る壁には開口部が形成され、行き来できるようになっている。
また、収納部である低天井収納空間は、通路状に形成された脱臭・除菌収納室からさらに奥まった位置にあるため、玄関からは覗きにくい。さらに、脱臭・除菌収納室と低天井収納空間とを仕切る壁に形成された開口部や、脱臭・除菌収納室の入口および出口にはそれぞれ建具が設けられ、収納された物品を隠すことができる。
【先行技術文献】
【特許文献】
【０００３】
【特許文献１】特開２０１２−２１１４６４号公報
【発明の概要】
【発明が解決しようとする課題】
【０００４】
ところで、近年の住宅事情を勘案すると、従来のように建物建築用の敷地を広く確保することが難しく、限られた建物内スペースの中で居住のための空間を広く確保する必要がある。しかしながら、その分、収納のための空間を狭くしてしまうと生活において不都合が生じる場合がある。
そのため、特に玄関のような居室ではない場所においては、収納スペースを確保しつつも、より効率的に収納量を向上させたいという要望があった。また、従来のように、収納された物品を隠して玄関の美観を保つことも併せて望まれていた。
【０００５】
本発明の課題は、効率的に収納量を向上させることができるとともに玄関の美観を保つことができる収納室構造を提供することを目的とする。
【課題を解決するための手段】
【０００６】
請求項１に記載の発明は、例えば図１〜図１１に示すように、住宅等の建物の玄関２に隣接して設けられ、人の出入りが可能とされた収納室１の構造において、
前記玄関２と前記収納室１とを仕切る仕切壁５に出入口５ａが形成され、
前記出入口５ａには、前記収納室１側に寄せて配置され、前記出入口５ａを開閉する建具としての機能を持つ可動収納家具１０が設けられており、
前記可動収納家具１０は、前記玄関２側に向かって開口する収納部１１ａが形成された家具本体１１と、前記収納部１１ａの開口を開閉する開閉体１２と、を備えることを特徴とする。
【０００７】
請求項１に記載の発明によれば、出入口５ａには、収納室１側に寄せて配置され、出入口５ａを開閉する建具としての機能を持つ可動収納家具１０が設けられているので、この可動収納家具１０によって、収納室１の出入口５ａを開閉しつつ収納量を向上させることができ、効率的である。
可動収納家具１０は、収納室１側に寄せて配置されているので玄関２側に突出しない。さらに、可動収納家具１０によって収納室１の内部を遮蔽し、開閉体１２によって家具本体１１における収納部１１ａの内部を遮蔽できるので、玄関２の美観を保つことができる。
【０００８】
請求項２に記載の発明は、例えば図１〜図５に示すように、請求項１に記載の収納室構造において、
前記可動収納家具１０は、当該可動収納家具１０を前記仕切壁５に沿ってスライド移動させる第一移動手段（例えば第一スライド手段、第二スライド手段）を備えることを特徴とする。
【０００９】
請求項２に記載の発明によれば、可動収納家具１０は、当該可動収納家具１０を仕切壁５に沿ってスライド移動させる第一移動手段を備えるので、この第一移動手段によって、可動収納家具１０を仕切壁５に沿って確実にスライド移動させることができる。すなわち、可動収納家具１０を、出入口５ａを開閉する建具として確実に機能させることができる。
【００１０】
請求項３に記載の発明は、例えば図１〜図５に示すように、請求項２に記載の収納室構造において、
前記第一移動手段は、前記家具本体１１をスライド移動させる第一スライド手段（例えばキャスター１３、レール部材１４）と、前記開閉体１２をスライド移動させる第二スライド手段（例えばレール部材１５、吊下体１６、振れ止め１７）と、からなることを特徴とする。
【００１１】
請求項３に記載の発明によれば、第一移動手段は、家具本体１１をスライド移動させる第一スライド手段と、開閉体１２をスライド移動させる第二スライド手段と、からなるので、これら第一スライド手段と第二スライド手段によって家具本体１１と開閉体１２を別々にスライド移動させることができる。
また、家具本体１１によって出入口５ａを閉塞している状態において、第二スライド手段で開閉体１２をスライド移動させることによって、家具本体１１の収納部１１ａ全体をいっぺんに開放させることができる。これによって、収納部１１ａ全体の物品の出し入れを行うことができるので、使い勝手がよい。
【００１２】
請求項４に記載の発明は、例えば図６に示すように、請求項１に記載の収納室構造において、
前記可動収納家具１０は、当該可動収納家具１０を前記収納室１から前記出入口５ａを介して前記玄関２側へと移動させる第二移動手段（例えばキャスター２０）を備えることを特徴とする。
【００１３】
請求項４に記載の発明によれば、第二移動手段によって、可動収納家具１０を、収納室１から出入口５ａを介して玄関２側へと確実に移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
【００１４】
請求項５に記載の発明は、例えば図７〜図９に示すように、請求項１に記載の収納室構造において、
前記可動収納家具１０は、当該可動収納家具１０を垂直軸回りに前記玄関２に向かって回転移動させる第三移動手段（例えば回転軸３０）を備えることを特徴とする。
【００１５】
請求項５に記載の発明によれば、第三移動手段によって、可動収納家具１０を玄関２側へと確実に回転移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
【００１６】
請求項６に記載の発明は、例えば図７，図１０，図１１に示すように、請求項１に記載の収納室構造において、
前記玄関２は、玄関土間部３と、この玄関土間部３よりも一段高い床面４ａに設定された玄関ホール部４と、を備えており、
前記出入口５ａが形成された前記仕切壁５は、前記収納室１と前記玄関土間部３との間に設けられており、
前記可動収納家具１０は、当該可動収納家具１０を前記玄関土間部３側から前記玄関ホール部４側にスライド移動させる第四移動手段（例えばキャスター４０、レール部材４１）を備えることを特徴とする。
【００１７】
請求項６に記載の発明によれば、第四移動手段によって、可動収納家具１０を玄関ホール部４側に確実にスライド移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
さらに、可動収納家具１０を玄関ホール部４側に移動させて物品の出し入れを行うことができるので、玄関土間部３に下りて作業を行う必要がない。
【００１８】
請求項７に記載の発明は、例えば図３，図６，図７，図９，図１１に示すように、請求項１〜６のいずれか一項に記載の収納室構造において、
前記可動収納家具１０によって前記出入口５ａを閉塞している状態において、前記可動収納家具１０の下端面（底面）と床面１ａ（３ａ）との間に隙間が形成されていることを特徴とする。
【００１９】
請求項７に記載の発明によれば、可動収納家具１０の下端面（底面）と床面１ａ（３ａ）との間に隙間が形成されているので、この隙間を通じて収納室１内の換気を行うことができる。
また、例えば掃除等で収納室１の床面１ａに水を撒いた際に、隙間を通じて水を玄関２側に排水できるので、排水性にも優れる。
【００２０】
請求項８に記載の発明は、例えば図７〜図１１に示すように、請求項１〜７のいずれか一項に記載の収納室構造において、
前記収納室１は、前記玄関２に隣接して配置された階段８の踊り場８ａの下方、または踊り場８ａと連続する床９の下方に設けられていることを特徴とする。
【００２１】
請求項８に記載の発明によれば、収納室１は、階段８の踊り場８ａの下方、または踊り場８ａと連続する床９の下方に設けられている、すなわち踊り場８ａや床９の下方空間を有効利用して収納室１を建物内に導入できるので、建物内に比較的広い収納スペースである収納室１を確保しつつ、建物内全体のスペースの有効活用に貢献できる。
【発明の効果】
【００２２】
本発明によれば、玄関のような居室ではない場所において収納室を確保しつつ効率的に収納量を向上させることができる。さらに、玄関の美観を保つことができる。
【図面の簡単な説明】
【００２３】
【図１】第１実施形態における収納室構造を表す斜視図である。
【図２】可動収納家具の一例を示す斜視図である。
【図３】出入口付近の構造を表す側断面図である。
【図４】出入口付近の構造を表す平断面図である。
【図５】出入口付近の構造の他の例を表す平断面図である。
【図６】第２実施形態における収納室構造を表す斜視図である。
【図７】第３，４実施形態の収納室構造における玄関側からの斜視図である。
【図８】第３実施形態における収納室構造を表す平断面図である。
【図９】同、正面図である。
【図１０】第４実施形態における収納室構造を表す平断面図である。
【図１１】同、正面図である。
【発明を実施するための形態】
【００２４】
以下に、本発明を実施するための形態について図面を用いて説明する。ただし、以下に述べる実施形態には、本発明を実施するために技術的に好ましい種々の限定が付されている。そのため、本発明の技術的範囲を以下の実施形態および図示例に限定するものではない。
【００２５】
〔第１実施形態〕
図１において符号１は収納室を示しており、符号２は玄関を示している。
玄関２は、住宅等の建物に設けられたものであり、玄関土間部３と、この玄関土間部３よりも一段高い床面４ａに設定された玄関ホール部４と、を備える。収納室１は、この玄関２の玄関土間部３に隣接して設けられている。
収納室１は、人の出入りが可能とされており、後述の可動収納家具１０を含む複数の収納家具が設置される。また、収納室１内において複数の収納家具がない場所は、人が物品の出し入れ等の作業を行う作業スペースとされている。
【００２６】
収納室１は、四方に壁が設けられており、四方の壁のうち収納室１と玄関土間部３との間に設けられ、これら収納室１と玄関土間部３とを仕切る仕切壁５には出入口５ａが形成されている。また、四方の壁のうち玄関ホール部４側に配置された壁６は、仕切壁５と直交している。
収納室１の床（床面１ａ）は、図３に示すように、玄関土間部３の土間床面３ａと連続し、かつ面一に設けられている。
また、図３に示すように、収納室１の天井１ｂは、玄関土間部３の天井３ｂと略等しい高さに設定されている。ただし、これに限られるものではなく、玄関土間部３の天井３ｂより低くてもよいし、高くてもよい。
【００２７】
玄関２の屋外側には玄関ポーチ７が設けられている。
なお、図１においては、玄関土間部３と玄関ポーチ７とを仕切る外壁を省略している。図１では、玄関土間部３における土間床面３ａの升目と、玄関ポーチ７における土間床面７ａの升目の大きさが異なり、これら土間床面３ａ，７ａ同士の境界部分に外壁が設けられるものとする。そして、外壁には玄関出入口が設けられているものとする（例えば図８，図１０参照）。
玄関ホール部４は、建物内の部屋に通じる廊下と一体であり、床面４ａの高さは、廊下や建物１階の部屋の床面と等しい高さに設定されている。また、仕切壁５と直交する壁６が、玄関ホール部４および廊下に面している。
【００２８】
出入口５ａには、出入口５ａを開閉する建具としての機能を持つ可動収納家具１０が設けられている。
また、可動収納家具１０は、玄関土間部３側には飛び出さず、収納室１側に寄せて配置されている。より詳細には、仕切壁５の収納室１側の面よりも収納室１の内側に配置されている。
可動収納家具１０は、出入口５ａを開放する際には仕切壁５の裏側（収納室１側）に近接して配置される。また、出入口５ａを閉塞する際には出入口５ａを覆い、かつ壁６側の面が壁６に対して当接するようにして配置される。
【００２９】
可動収納家具１０は、前面（玄関土間部３側）が開口した直方体箱状の収納体であり、その正面の縦横寸法が出入口５ａの縦横寸法と等しいか、出入口５ａの縦横寸法よりも大きく設定されている。
そして、この可動収納家具１０は、家具本体１１と、開閉体１２と、第一移動手段と、を備える。
【００３０】
家具本体１１は、後述の第一スライド手段によって仕切壁５に沿ってスライド移動するものであり、図１〜図５に示すように、天板と、底板と、背板と、左右の側板からなる箱状体を基本構造としている。このような基本構造の箱状体の内部は、縦板（仕切り板）または横板（棚板）によって、上下または左右に仕切られる。
縦板は、天板と底板との間、または天板と横板との間、または底板と横板との間に架け渡されて固定されている。
横板は、左右の側板間、または左右いずれかの側板と仕切り板との間に架け渡される。横板の場合は、各板間に架け渡されて固定されるものと、例えばダボ・ダボ穴を採用するなどして居住者の任意の高さに設定できるもの、とがある。
家具本体１１は、以上のように形成されることによって前面（玄関土間部３側）に開口した一つまたは複数の収納部１１ａを有する状態となる。
【００３１】
開閉体１２は、収納部１１ａの開口を開閉する扉や幕である。扉は、片開き式や両開き式、横スライド式（引き違いを含む）、上げ下げ式、滑り出し式等、様々な形式のものを採用することができる。幕は、垂れ幕式や引き割り式、巻き上げ式（ロール式ともいう）等が採用される。
【００３２】
本実施形態の開閉体１２は、後述の第二スライド手段によって家具本体１１とは別に仕切壁５に沿ってスライド移動するものである。
この開閉体１２は、家具本体１１の天板と、底板と、左右の側板の前面に沿って矩形状に形成された枠体１２ａと、ヒンジを介して枠体１２ａに取り付けられた複数の板材１２ｂと、を有する。
本実施の形態では、板材１２ｂが、家具本体１１上側に区画形成された収納部１１ａと、家具本体１１下側に区画形成された収納部１１ａの双方における前面開口を開閉する両開きの扉として枠体１２ａの側部に設けられている。家具本体１１中央に区画形成された収納部１１ａは、板材１２ｂによって覆われておらず、玄関土間部３に向かって開放されている。すなわち、背板の前面が露出した状態となっている。
なお、開閉体１２の構成は、これに限られるものではなく、本発明の趣旨を逸脱しない範囲で適宜変更可能である。例えば開閉体１２がスライドしない形態の物であれば、枠体１２ａは必要なく、板材１２ｂを家具本体１１にヒンジを介して取り付ければよい。
【００３３】
第一移動手段は、可動収納家具１０を仕切壁５に沿ってスライド移動させるための手段であり、この第一移動手段によって、可動収納家具１０に対して、出入口５ａを開閉する建具としての機能を持たせることができる。
そして、第一移動手段は、家具本体１１をスライド移動させる第一スライド手段と、開閉体１２をスライド移動させる第二スライド手段と、からなる。
【００３４】
第一スライド手段は、家具本体１１の底面に取り付けられたキャスター１３と、家具本体１１の天面と収納室１の天井１ｂとに跨って設けられたレール部材１４と、を備える。
キャスター１３は、家具本体１１がスライドする方向にのみ移動自在であり、本実施形態においては回転機能（方向転換機能）を有さないものとする。
レール部材１４は、家具本体１１の天面に取り付けられたガイドレール１４ａと、収納室１の天井１ｂに埋め込まれるようにして取り付けられるとともにガイドレール１４ａが挿入されるレール溝１４ｂと、を有する。なお、レール溝１４ｂの下面は、天井１ｂと面一である。
このような第一スライド手段により、家具本体１１は、図４に示すように出入口５ａを開放させる方向および出入口５ａを閉塞する方向、すなわち、仕切壁５の収納室１側の面に沿う方向（仕切壁５の幅方向、と換言してもよい）にスライド移動する。
【００３５】
第二スライド手段は、収納室１の天井１ｂに埋め込まれるようして取り付けられたレール部材１５と、開閉体１２の天面に取り付けられるとともにレール部材１５に吊り下げられる吊下体１６と、収納室１の床面１ａに取り付けられた振れ止め１７と、を備える。
レール部材１５は、リップ溝形鋼（Ｃ形鋼、Ｃチャンともいう）状に形成されて、開放された箇所を下方に向けて配置されている。このレール部材１５は、開放箇所の両側に位置し、かつ下面が天井１ｂと面一となる下片部１５ａを有する。
吊下体１６は、レール部材１５の内部に挿入されて、下片部１５ａの上面に載る車輪１６ａを有しており、車輪１６ａは、下片部１５ａ上を転動する。開閉体１２は、この吊下体１６によって天井１ｂ（レール部材１５）から吊り下げられた状態となっており、図４に示すように、出入口５ａを開放させる方向および出入口５ａを閉塞する方向、すなわち、仕切壁５の収納室１側の面に沿う方向（仕切壁５の幅方向、と換言してもよい）にスライド移動する。
振れ止め１７は、吊り下げられた開閉体１２の振れを抑制する突起状のものであり、先端部が開閉体１２の下端部に、開閉体１２の幅方向に沿って長尺に形成された凹部１２ｃに挿入された状態となっている。なお、振れ止め１７は、床面１ａのうち出入口５ａに露出しない位置に設けられている。
【００３６】
なお、本実施形態において開閉体１２は、図４に示すように仕切壁５の収納室１側の面に近い位置を当該面に沿ってスライドし、家具本体１１は開閉体１２の収納室１側の面に近い位置を当該面に沿ってスライドする。
ただし、この場合は家具本体１１が、開閉体１２の厚み分だけ収納室１内側に後退して配置された状態となる。そこで、図５に示すように、仕切壁５に開閉体１２を引き込みできる引き込み凹部５ｂを形成してもよい。これにより、家具本体１１は、図４に示す例よりも玄関土間部３側に寄せて配置された状態となるので、その分だけ収納室１内のスペースを広くすることができる。
【００３７】
また、図３に示すように、可動収納家具１０によって出入口５ａを閉塞している状態において、可動収納家具１０の下端面（底面）と床面１ａとの間には隙間が形成されている。
すなわち、可動収納家具１０を構成する家具本体１１はキャスター１３によって床面１ａとの間に隙間を形成し、開閉体１２は天井１ｂに吊り下げられることによって床面１ａとの間に隙間を形成するようにして設けられている。
このように可動収納家具１０の下端面（底面）と床面１ａとの間に隙間が形成されれば、収納室１と玄関土間部３とが隙間を通じて常に連通した状態となる。
【００３８】
本実施形態における第一移動手段は、上述のような構成に限られるものではなく、本発明の趣旨を逸脱しない範囲で適宜変更可能である。例えば、可動収納家具１０を、その天面および底面から突出する回転軸（垂直軸回り）を備えるものとし、回転軸を収納室１の床面１ａおよび天井１ｂに回転自在に取り付けて、可動収納家具１０を回転式としてもよい。
また、本実施形態において可動収納家具１０は、出入口５ａと仕切壁５の裏側（収納室１側）との間でスライド移動する構成となっているが、そのスライド方向も特に限定されるものではない。例えば、収納室１と玄関土間部３との間を行き来する方向にスライド移動するものとしてもよいし、出入口５ａと玄関ホール部４との間でスライド移動するものとしてもよい。
【００３９】
また、より詳細な点においては、第一スライド手段のレール部材１４は、家具本体１１の天面と収納室１の天井１ｂとに跨って設けられるものとしたが、これに限られるものではない。
例えば、レール部材１４を、家具本体１１の前面と開閉体１２に跨って設けられるものとしてもよいし、家具本体１１の底面と床面１ａに跨って設けられるものとしてもよい。
さらには、家具本体１１の前面と仕切壁５に跨って設けられるものとしてもよい。この場合は、第二スライド手段は無く、開閉体１２が、家具本体１１の収納部１１ａ内の開口縁部に設けられた状態となる。
なお、このようにレール部材１４は、家具本体１１とこれに対向する面に跨って設けられるものであればよく、その取付位置に係る自由度が高い。ただし、その取付位置に応じて、ガイドレール１４ａがレール溝１４ｂに係合しやすい構造を備えるものとする。
また、ガイドレール１４ａおよびレール溝１４ｂは共に、家具本体１１および開閉体１２のスライド方向に長尺であるが、少なくともレール溝１４ｂが長尺であればよい。すなわち、ガイドレール１４ａは短尺でもよいし、ガイドレール１４ａに代えて、レール溝１４ｂに挿入されてこれに沿って移動する突状体を用いてもよい。
【００４０】
また、本実施形態において第二スライド手段は、レール部材１５と、吊下体１６と、振れ止め１７と、を備えるものとしたが、これに限られるものではない。
例えば、第二スライド手段も、第一スライド手段と同様にキャスター１３、レール部材１４を備えるものとしてもよい。すなわち、可動収納家具１０の下端面（底面）と床面１ａとの間に隙間を形成するための支持構造（支持機構）が設けられればよいものとする。
すなわち、可動収納家具１０は、自身を出入口５ａを開閉する建具として機能させるための移動機構と、床面１ａとの間に隙間を形成するための支持機構とを併せ持つものである。
【００４１】
本実施形態によれば、出入口５ａには、収納室１側に寄せて配置され、出入口５ａを開閉する建具としての機能を持つ可動収納家具１０が設けられているので、この可動収納家具１０によって、収納室１の出入口５ａを開閉しつつ収納量を向上させることができ、効率的である。
可動収納家具１０は、収納室１側に寄せて配置されているので玄関２側に突出しない。さらに、可動収納家具１０によって収納室１の内部を遮蔽し、開閉体１２によって家具本体１１における収納部１１ａの内部を遮蔽できるので、玄関２の美観を保つことができる。
【００４２】
また、可動収納家具１０の下端面（底面）と床面１ａ（３ａ）との間に隙間が形成されているので、この隙間を通じて収納室１内の換気を行うことができる。
また、例えば掃除等で収納室１の床面１ａに水を撒いた際に、隙間を通じて水を玄関２側に排水できるので、排水性にも優れる。
【００４３】
また、可動収納家具１０は、当該可動収納家具１０を仕切壁５に沿ってスライド移動させる第一移動手段を備えるので、この第一移動手段によって、可動収納家具１０を仕切壁５に沿って確実にスライド移動させることができる。すなわち、可動収納家具１０を、出入口５ａを開閉する建具として確実に機能させることができる。
さらに、第一移動手段は、家具本体１１をスライド移動させる第一スライド手段と、開閉体１２をスライド移動させる第二スライド手段と、からなるので、これら第一スライド手段と第二スライド手段によって家具本体１１と開閉体１２を別々にスライド移動させることができる。
また、家具本体１１によって出入口５ａを閉塞している状態において、第二スライド手段で開閉体１２をスライド移動させることによって、家具本体１１の収納部１１ａ全体をいっぺんに開放させることができる。これによって、収納部１１ａ全体の物品の出し入れを行うことができるので、使い勝手がよい。
【００４４】
〔第２実施形態〕
次に、図面を参照して本発明の第２実施形態について説明する。なお、説明の便宜上、上述した実施形態とは異なる構成部分について主に説明する。
【００４５】
本実施形態においては、図６に示すように、可動収納家具１０が、当該可動収納家具１０を収納室１から出入口５ａを介して玄関２側へと移動させる第二移動手段を備える。
【００４６】
本実施形態の可動収納家具１０は、開閉体１２を構成する板材１２ｂが、家具本体１１の前面にヒンジを介して回転可能に取り付けられたものであり、第二移動手段による移動時には、家具本体１１と開閉体１２は一緒に移動する。
【００４７】
第二移動手段は、家具本体１１の底面に取り付けられたキャスター２０であり、このキャスター２０は、家具本体１１がスライドする方向にのみ移動自在である。
このように第二移動手段がキャスター２０であるため、可動収納家具１０によって出入口５ａを閉塞している状態において、可動収納家具１０の下端面（底面）と床面１ａとの間には隙間が形成されている。
【００４８】
また、第二移動手段は、家具本体１１の天面に取り付けられたガイドレール１４ａと、収納室１の天井１ｂから玄関土間部３の天井３ｂにかけて取り付けられるとともにガイドレール１４ａが挿入されるレール溝１４ｂと、を有するレール部材１４を備えてもよい。
【００４９】
なお、キャスター２０は、家具本体１１がスライドする方向にのみ移動自在であるとしたが、これに限られるものではなく、回転機能（方向転換機能）を有するものを用いてもよい。この場合、真っ直ぐなレール部材１４は併用しない。
【００５０】
本実施形態によれば、第二移動手段によって、可動収納家具１０を、収納室１から出入口５ａを介して玄関２側へと確実に移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
【００５１】
〔第３実施形態〕
次に、図面を参照して本発明の第３実施形態について説明する。なお、説明の便宜上、上述した実施形態とは異なる構成部分について主に説明する。
【００５２】
本実施形態における収納室１は、図７〜図９に示すように、玄関２に隣接して配置された階段８の踊り場８ａの下方、または踊り場８ａと連続する床９の下方に設けられている。つまり、踊り場８ａと床９は一体に設けられており、その下方に収納室１が設けられている。
より詳細に説明すると、床面１ａと、踊り場８ａおよび床９を構成する床体との間に収納室１が設けられており、その天井高は、例えば０．８ｍ〜１．４ｍに設定されている。このような収納室１の天井高を確保できる高さ位置に床体が設けられており、この床体と玄関ホール部４に通じる廊下との間に階段８が架け渡されている。
なお、床体における踊り場８ａの範囲および床９の範囲は明確に規定されているわけではないが、説明の便宜上、階段８から踊り場８ａに上がった場所と、その場所から更に上階に上がるための階段（図示せず）までに人が通過する場所までの範囲を踊り場８ａと称し、それ以外の範囲を床９と称する。
【００５３】
階段８は、踊り場８ａの玄関２側端部から離れた位置（可動収納家具１０に干渉しない程度）に配置されている。また、踊り場８ａおよび床９の玄関２側端部の上面には、上から見て略Ｌ字状に組み立てられた手摺８ｂが設けられている。
そして、踊り場８ａおよび床９の玄関２側端部の下方に、収納室１と玄関土間部３とを仕切る仕切壁５が設けられている。仕切壁５には出入口５ａが形成されている。なお、本実施形態の出入口５ａは、玄関土間部３側と玄関ホール部４側の二方向に開口している。
【００５４】
可動収納家具１０は、二方向に開口する出入口５ａを塞ぐようにして設けられている。すなわち、正面部分が玄関土間部３側に面し、玄関ホール部４側の側面部分が玄関ホール部４に面している。また、これら正面部分および側面部分は、隣接する壁面（仕切壁５の玄関側の面、壁６の廊下側の面）と面一である。
また、この正面部分においては、開閉体１２を構成する板材１２ｂが、家具本体１１の前面にヒンジを介して回転可能に取り付けられている。
【００５５】
可動収納家具１０の玄関ホール部４側の端部は、玄関ホール部４の床面４ａ上に位置する。これに伴って、可動収納家具１０の底面の位置は、図９に示すように、玄関ホール部４の床面４ａよりも若干高い位置に設定されており、可動収納家具１０は、玄関ホール部４から張り出したような状態となる。
これにより、可動収納家具１０によって出入口５ａを閉塞している状態において、可動収納家具１０の下端面（底面）と床面１ａ（土間床面３ａ）との間には、比較的大きな隙間が形成される。
【００５６】
そして、可動収納家具１０は、当該可動収納家具１０を垂直軸回りに玄関２に向かって回転移動させることを可能とする第三移動手段を備える。
本実施形態における第三移動手段は、図８，図９に示すように、可動収納家具１０において、上述した正面部分と側面部分とが交わるコーナー部の天面および底面から突出する回転軸３０である。
回転軸３０の上端部３１および下端部３２は、収納室１の天井１ｂおよび玄関ホール部４の床面４ａに回転自在に取り付けられている。
すなわち、可動収納家具１０は、図８に示すように玄関ホール部４側に向かって回転することによって出入口５ａを開放でき、逆方向に回転することによって出入口５ａを閉塞できる。
可動収納家具１０を回転移動させた状態においては、可動収納家具１０の正面部分が玄関ホール部４側に向いた状態となる。
【００５７】
なお、本実施形態において踊り場８ａおよび床９を構成する床体の高さは、例えば０．８ｍ〜１．４ｍ、と比較的低い設定としたが、これに限られるものではなく、通常の２階の高さ（１階居室の天井高を少なくとも２．１ｍとした場合の高さ）に設定してもよいものとする。この場合、仕切壁５および出入口５ａと、可動収納家具１０の高さもこれに合わせて高く設定する。
【００５８】
本実施形態によれば、第三移動手段によって、可動収納家具１０を玄関２側へと確実に回転移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
【００５９】
また、収納室１は、階段８の踊り場８ａの下方、または踊り場８ａと連続する床９の下方に設けられている、すなわち踊り場８ａや床９の下方空間を有効利用して収納室１を建物内に導入できるので、建物内に比較的広い収納スペースである収納室１を確保しつつ、建物内全体のスペースの有効活用に貢献できる。
【００６０】
〔第４実施形態〕
次に、図面を参照して本発明の第４実施形態について説明する。なお、説明の便宜上、上述した実施形態とは異なる構成部分について主に説明する。
【００６１】
本実施形態における収納室１は、第３実施形態と同様に、玄関２に隣接して配置された階段８の踊り場８ａの下方、または踊り場８ａと連続する床９の下方に設けられている。
また、可動収納家具１０も、その玄関ホール部４側の端部が、玄関ホール部４の床面４ａ上に位置するため、可動収納家具１０は、玄関ホール部４から張り出したような状態となり、床面１ａ（土間床面３ａ）との間に、比較的大きな隙間が形成される。
【００６２】
本実施形態の可動収納家具１０は、当該可動収納家具１０を玄関土間部３側から玄関ホール部４側にスライド移動させる第四移動手段を備える。
第四移動手段は、図１０，図１１に示すように、家具本体１１の底面に取り付けられたキャスター４０と、家具本体１１の天面と収納室１の天井１ｂとに跨って設けられたレール部材４１と、を備える。
キャスター４０は、家具本体１１がスライドする方向にのみ移動自在であり、本実施形態においては回転機能（方向転換機能）を有さないものとする。
レール部材４１は、上述のレール部材１４と同様の構成であり、家具本体１１の天面に取り付けられたガイドレール４１ａと、収納室１の天井１ｂに埋め込まれるようにして取り付けられるとともにガイドレール４１ａが挿入されるレール溝４１ｂと、を有する。
このような第四移動手段により、可動収納家具１０は、出入口５ａを開放させる方向および出入口５ａを閉塞する方向に移動できる。すなわち、可動収納家具１０を玄関ホール部４側にスライド移動させることによって出入口５ａを開放でき、逆方向にスライド移動することによって出入口５ａを閉塞できる。
可動収納家具１０を玄関ホール部４側にスライド移動させた状態においては、可動収納家具１０の正面部分が玄関ホール部４側に向いた状態となる。
【００６３】
本実施形態によれば、第四移動手段によって、可動収納家具１０を玄関ホール部４側に確実にスライド移動させることができる。
また、可動収納家具１０を収納室１内で移動させることがないので、収納室１内に、可動収納家具１０を配置するためのスペースを確保すれば、可動収納家具１０を収納室１内で移動させるための余計なスペースが必要なくなる。これによって、収納室１内の収納スペースを広くすることができる。
さらに、可動収納家具１０を玄関ホール部４側に移動させて物品の出し入れを行うことができるので、玄関土間部３に下りて作業を行う必要がない。
【００６４】
なお、以上の各実施形態において説明した本発明の構成については、可能な限り組み合わせて適用してもよいものとする。
【符号の説明】
【００６５】
１  収納室
２  玄関
３  玄関土間部
４  玄関ホール部
５  仕切壁
５ａ  出入口
１０  可動収納家具
１１  家具本体
１１ａ  収納部
１２  開閉体
１３  キャスター
１４  レール部材
１５  レール部材
１６  吊下体
１７  振れ止め
２０  キャスター
３０  回転軸
４０  キャスター
４１  レール部材
【図１】
2016205018.tif 000003
【図２】
2016205018.tif 000004
【図３】
2016205018.tif 000005
【図４】
2016205018.tif 000006
【図５】
2016205018.tif 000007
【図６】
2016205018.tif 000008
【図７】
2016205018.tif 000009
【図８】
2016205018.tif 000010
【図９】
2016205018.tif 000011
【図１０】
2016205018.tif 000012
【図１１】
2016205018.tif 000013